(57)【要約】【課題】直感的かつ定量的に撮影枚数の評価が可能な撮像装置を提供する。【解決手段】撮影時に日時情報を取得する日時情報取得手段と、最終撮影時点の日時情報を記録する最終撮影時記録手段と、撮影時に、日時情報取得手段により取得される日時情報と最終撮影時記録手段により記録されている日時情報とを比較し、２つの日時情報が所定期間内にない場合は撮影枚数のカウントを新たに開始し、所定期間内にある場合は撮影枚数のカウントを継続する撮影枚数カウント手段と、電源オフ時に表示させる終了画面に撮影枚数カウント手段でカウントした撮影枚数を所定の表示形式で表示させる表示手段とを備える。【選択図】図４
2010185902.tif 000002
【特許請求の範囲】
【請求項１】
撮影時に日時情報を取得する日時情報取得手段と、
最終撮影時点の日時情報を記録する最終撮影時記録手段と、
撮影時に、前記日時情報取得手段により取得される日時情報と前記最終撮影時記録手段により記録されている日時情報とを比較し、２つの日時情報が所定期間内にない場合は撮影枚数のカウントを新たに開始し、所定期間内にある場合は撮影枚数のカウントを継続する撮影枚数カウント手段と、
電源オフ時に表示させる終了画面に前記撮影枚数カウント手段でカウントした撮影枚数を所定の表示形式で表示させる表示手段と
を備えることを特徴とする撮像装置。
【請求項２】
前記所定期間は、同一日、同一週、同一月、同一年、使用開始から現在まで、の少なくとも１つであって、前記所定期間を２以上設定した場合は、前記撮影枚数カウント手段は、所定期間ごとに撮影枚数をカウントすることを特徴とする請求項１に記載の撮像装置。
【請求項３】
前記所定期間は同一日であって、
前記撮影枚数カウント手段でカウントした日毎の撮影枚数を記憶する記憶手段と、
前記日毎の撮影枚数に基づいて、所定期間の撮影枚数を算出する演算手段と
を備えることを特徴とする請求項１に記載の撮像装置。
【請求項４】
撮影画像を２値化して記録する文字撮影手段、動画像を記録する動画撮影手段のうち少なくとも１つの手段を備え、
前記撮影枚数カウント手段は、前記文字撮影手段、前記動画撮影手段のいずれかの手段により撮影された場合も撮影枚数をカウントすることを特徴とする請求項１から３までのいずれかに記載の撮像装置。
【請求項５】
１回の撮影要求に対して複数の画像データを記録する連写撮影手段、複数サイズ画像同時記録手段、ブラケット手段のうち少なくとも１つの手段を備え、
前記撮影枚数カウント手段は、前記連射撮影手段、前記複数サイズ画像同時記録手段、前記ブラケット手段のいずれかの手段により撮影された場合に、前記複数の画像データのすべてについてカウントすることを特徴とする請求項１から４までのいずれかに記載の撮像装置。
【請求項６】
音声記録部で記録した音声を記憶する音声記録手段を備え、
前記撮影枚数カウント手段は、前記音声記録手段による音声記録が行われた際にも撮影枚数をカウントすることを特徴とする請求項１から５までのいずれかに記載の撮像装置。
【請求項７】
撮像装置に日時情報を設定する日時情報設定手段により日時情報が設定されていない場合は、
前記撮影枚数カウント手段は、撮影枚数のカウントをせず、
前記表示手段は、撮影枚数を０として表示させることを特徴とする請求項１から６までのいずれかに記載の撮像装置。
【請求項８】
撮像装置に日時情報を設定する日時情報設定手段により日時情報が新たに設定あるいは再設定された場合は、
前記撮影枚数カウント手段は、撮影枚数のカウントを新たに開始することを特徴とする請求項１から７までのいずれかに記載の撮像装置。
【請求項９】
前記終了画面へのカウントした撮影枚数の表示を行うか否かを設定可能な選択手段を有することを特徴とする請求項１から８までのいずれかに記載の撮像装置。
【発明の詳細な説明】
【技術分野】
【０００１】
本発明は、撮像装置に関する。さらに詳述すると、撮影枚数の評価に好適な撮像装置に関する。
【背景技術】
【０００２】
デジタルカメラなどの撮像装置の多くは、撮影時の日時情報を取得し、この日時情報を撮影した画像データと関連付けて記憶することで、撮影画像の表示の際に撮影時の日時情報を併せて表示する機能を備えている。
【０００３】
ここで、撮像装置のユーザ、特に、写真愛好家や初心者などは、撮影技術の上達のために毎日の撮影枚数を練習量の基準の１つとしている場合が多い。このようなユーザには、日々の具体的な撮影枚数を確認したいという要望がある。
【０００４】
これに対し、例えば、特許文献１には、撮影枚数表示モードが指示された場合において、日付に応じた撮影枚数を表示するデジタルカメラが開示されている。また、特許文献２には、画像データベースを備えた画像処理装置における画像検索処理に関する技術が記載されている。
【発明の概要】
【発明が解決しようとする課題】
【０００５】
しかしながら、特許文献１に記載の技術では、撮影枚数を確認するためには、撮影枚数表示モードにモードを切り替える必要、すなわち、ユーザ自身がモード切り替えという操作を行う必要があり、また、特許文献２に記載の技術では、所望の画像検索を行うには、ユーザ自身がメニュー画面から「画像検索」メニューを選択する操作が必要であった。
【０００６】
そこで本発明は、撮像装置の電源を切る際に表示される終了画面に、所定期間における撮影枚数を定量的に表示することで、ユーザによるモード切り替え等の何らの操作も必要とすることなく、ユーザが直感的かつ定量的に撮影枚数の評価をすることができる撮像装置を提供することを目的とする。
【課題を解決するための手段】
【０００７】
かかる目的を達成するため、請求項１に記載の撮像装置は、撮影時に日時情報を取得する日時情報取得手段と、最終撮影時点の日時情報を記録する最終撮影時記録手段と、撮影時に、日時情報取得手段により取得される日時情報と最終撮影時記録手段により記録されている日時情報とを比較し、２つの日時情報が所定期間内にない場合は撮影枚数のカウントを新たに開始し、所定期間内にある場合は撮影枚数のカウントを継続する撮影枚数カウント手段と、電源オフ時に表示させる終了画面に撮影枚数カウント手段でカウントした撮影枚数を所定の表示形式で表示させる表示手段とを備えるものである。
【０００８】
また、請求項２に記載の発明は、請求項１に記載の撮像装置において、所定期間は、同一日、同一週、同一月、同一年、使用開始から現在まで、の少なくとも１つであって、所定期間を２以上設定した場合は、撮影枚数カウント手段は、所定期間ごとに撮影枚数をカウントするものである。
【０００９】
また、請求項３に記載の発明は、請求項１に記載の撮像装置において、所定期間は同一日であって、撮影枚数カウント手段でカウントした日毎の撮影枚数を記憶する記憶手段と、日毎の撮影枚数に基づいて、所定期間の撮影枚数を算出する演算手段とを備えるものである。
【００１０】
また、請求項４に記載の発明は、請求項１から３までのいずれかに記載の撮像装置において、撮影画像を２値化して記録する文字撮影手段、動画像を記録する動画撮影手段のうち少なくとも１つの手段を備え、撮影枚数カウント手段は、文字撮影手段、動画撮影手段のいずれかの手段により撮影された場合も撮影枚数をカウントするものである。
【００１１】
また、請求項５に記載の発明は、請求項１から４までのいずれかに記載の撮像装置において、１回の撮影要求に対して複数の画像データを記録する連写撮影手段、複数サイズ画像同時記録手段、ブラケット手段のうち少なくとも１つの手段を備え、撮影枚数カウント手段は、連射撮影手段、複数サイズ画像同時記録手段、ブラケット手段のいずれかの手段により撮影された場合に、複数の画像データのすべてについてカウントするものである。
【００１２】
また、請求項６に記載の発明は、請求項１から５までのいずれかに記載の撮像装置において、音声記録部で記録した音声を記憶する音声記録手段を備え、撮影枚数カウント手段は、音声記録手段による音声記録が行われた際にも撮影枚数をカウントするものである。
【００１３】
また、請求項７に記載の発明は、請求項１から６までのいずれかに記載の撮像装置において、撮像装置に日時情報を設定する日時情報設定手段により日時情報が設定されていない場合は、撮影枚数カウント手段は、撮影枚数のカウントをせず、表示手段は、撮影枚数を０として表示させるものである。
【００１４】
また、請求項８に記載の発明は、請求項１から７までのいずれかに記載の撮像装置において、撮像装置に日時情報を設定する日時情報設定手段により日時情報が新たに設定あるいは再設定された場合は、撮影枚数カウント手段は、撮影枚数のカウントを新たに開始するものである。
【００１５】
また、請求項９に記載の発明は、請求項１から８までのいずれかに記載の撮像装置において、終了画面へのカウントした撮影枚数の表示を行うか否かを設定可能な選択手段を有するものである。
【発明の効果】
【００１６】
本発明によれば、ユーザは、撮像装置の電源を切る際に、直感的かつ定量的に撮影枚数の評価をすることができる。
【図面の簡単な説明】
【００１７】
【図１】本発明に係る撮像装置の外観図の一例であって、（ａ）はカメラ上面図、（ｂ）はカメラ正面図、（ｃ）はカメラ裏面図を示す。
【図２】撮像装置の機能ブロック図の一例である。
【図３】撮像装置の固体撮像素子の一例を示す模式図である。
【図４】撮像装置が実行する動作の一例を示すフローチャートである。
【図５】撮像装置の表示部に表示される終了画面の一例を示す模式図である。
【図６】撮像装置の表示部に表示される終了画面の他の例を示す模式図である。
【発明を実施するための形態】
【００１８】
以下、本発明に係る構成を図１から図６に示す実施の形態に基づいて詳細に説明する。
【００１９】
１．撮像装置の構成
本発明に係る撮像装置の一例として、デジタルスチルカメラ（以下、デジタルカメラという）を例に説明する。図１は、本実施形態に係るデジタルカメラの外観図の一例を示しており、図１（ａ）はカメラ上面図、（ｂ）はカメラ正面図、（ｃ）はカメラ裏面図を示している。図２は、デジタルカメラの制御系の機能ブロックの一例を示すブロック図を示している。
【００２０】
図１（ａ）に示すように、カメラ上面には、サブＬＣＤ１と、レリーズボタン２（ＳＷ１）と、モードダイヤル４（ＳＷ２）とを有する。
【００２１】
また、図１（ｂ）に示すように、カメラ正面には、ストロボ発光部３と、測距ユニット５と、リモコン受光部６と、鏡胴ユニット７と、光学ファインダ（正面）１１とを有する。また、メモリカードスロットル１２１は、メモリカード１２１−１を挿入するスロットルを示し、カメラ側面に設けられる。尚、メモリカード１２１−１は、場合によっては、ＬＡＮカード１２１−２、無線ＬＡＮカード１２１−３等でもよい。
【００２２】
また、図１（ｃ）に示すように、カメラ裏面には、ＡＦＬＥＤ（オートフォーカスＬＥＤ）８と、ストロボＬＥＤ９と、ＬＣＤモニタ１０と、光学ファインダ（裏面）１１と、ズームボタンＴＥＬＥ１２（ＳＷ４）と、電源スイッチ１３（ＳＷ１３）と、ズームボタンＷＩＤＥ１４（ＳＷ３）と、再生スイッチ１５（ＳＷ６）とを有する。
【００２３】
さらに、カメラ裏面には、セルフタイマ／削除スイッチ１６（ＳＷ５）と、ＭＥＮＵ／ＯＫスイッチ１７（ＳＷ１２）と、左／画像確認スイッチ１８（ＳＷ１１）と、下／マクロスイッチ１９（ＳＷ１０）と、上／ストロボスイッチ２０（ＳＷ７）と、右スイッチ２１（ＳＷ８）と、画像を表示するディスプレイスイッチ２２（ＳＷ９）とを有する。
【００２４】
次に、図２を参照してデジタルカメラの内部構成について説明する。ストロボ発光部３、ストロボ回路１１４は、自然光などの光が足りない場合に光量を補う。暗い場所や被写体が暗い場合の撮影においては、デジタルスチルカメラプロセッサ１０４からストロボ回路１１４にストロボ発光信号を送信し、ストロボ回路１１４は、ストロボ発光部３を発光させ被写体を明るくする。
【００２５】
測距ユニット５は、カメラと被写体との距離を測る。デジタルカメラにおいては、撮像素子（ＣＣＤ）に形成された像のコントラストを検出し、最もコントラストの高い位置にレンズを移動させてフォーカスを合わせるＣＣＤ−ＡＦ方式が用いられている。しかしながら、ＣＣＤ−ＡＦ方式では、レンズを少しずつ動かしコントラストを探していくためフォーカス動作が遅いという問題があるため、測距ユニット５を用いて被写体との距離情報を常に取得し、距離情報からレンズを一気に移動してフォーカス動作を高速化している。リモコン受光部６は、外部からの赤外線信号を受光する。
【００２６】
鏡胴ユニット７は、被写体の光学画像を取り込むズームレンズ７−１ａ、ズーム駆動モータ７−１ｂからなるズーム光学系７−１、フォーカスレンズ７−２ａ、フォーカス駆動モータ７−２ｂからなるフォーカス光学系７−２、絞り７−３ａ、絞りモータ７−３ｂからなる絞りユニット７−３、メカシャッタ７−４、メカシャッタモータ７−４ａなるメカシャッタユニット７−４ｂ、各モータを駆動するモータドライバ７−５を有する。
【００２７】
そして、モータドライバ７−５は、リモコン受光部６入力や操作部Ｋｅｙユニット（ＳＷ１〜ＳＷ１３）の操作入力に基づく、デジタルスチルカメラプロセッサ１０４内にあるＣＰＵブロック１０４−３からの駆動指令により駆動制御される。ＲＯＭ１０８には、ＣＰＵブロック１０４−３にて解読可能なコードで記述された、制御プログラムや制御するためのパラメータが格納されている。尚、ＲＯＭ１０８に書き換え可能なフラッシュＲＯＭを使用することで、制御プログラムや制御するためのパラメータを変更することが可能となり、機能のバージョンアップ等を容易に行うことができる。
【００２８】
このデジタルカメラの電源がオン状態になると、ＣＰＵブロック１０４−３は制御プログラムに従って装置各部の動作を制御するとともに、制御に必要なデータ等を、一時的にＲＡＭ１０７およびデジタルスチルカメラプロセッサ１０４内にあるＬｏｃａｌ ＳＲＡＭ１０４−４に保存する。
【００２９】
ＣＣＤ１０１は、光学画像を光電変換するための固体撮像素子である。図３に示すように、ＣＣＤ１０１を構成する複数の画素上にベイヤ配列のＲＧＢ原色フィルタ（以下、「ＲＧＢフィルタ」という）が配置されており、各画素からＲＧＢ３原色に対応した電気信号（アナログＲＧＢ画像信号）が出力される。
【００３０】
Ｆ／Ｅ（フロントエンド）−ＩＣ１０２は、画像ノイズ除去用相関二重サンプリングを行うＣＤＳ１０２−１、利得調整を行うＡＧＣ１０２−２、デジタル信号変換を行うＡ／Ｄ変換部（以下、Ａ／Ｄ）１０２−３、及びＣＣＤ１制御ブロック１０４−１より垂直同期信号（以下、ＶＤと記す）、水平同期信号（以下、ＨＤと記す）を供給され、ＣＰＵブロック１０４−３によって制御されるＣＣＤ１０１とＦ／Ｅ−ＩＣ１０２との駆動タイミング信号を発生するＴＧ１０２−４を有する。
【００３１】
デジタルスチルカメラプロセッサ１０４（以下、ＣＰＵ１０４ともいう）は、ＣＣＤ１０１よりＦ／Ｅ―ＩＣ１０２の出力データにホワイトバランス設定やガンマ設定を行い、また、ＶＤ信号、ＨＤ信号を供給するＣＣＤ１信号処理ブロック１０４−１、フィルタリング処理により輝度データ・色差データへの変換を行うＣＣＤ２信号処理ブロック１０４−２、装置各部の動作を制御するＣＰＵブロック１０４−３、制御に必要なデータ等を一時的に保存するＬｏｃａｌ ＳＲＡＭ１０４−４、パソコンなどの外部機器とＵＳＢ通信を行うＵＳＢブロック１０４−５、パソコンなどの外部機器とシリアル通信を行うシリアルブロック１０４−６、ＪＰＥＧ圧縮・伸張を行うＪＰＥＧ ＣＯＤＥＣブロック１０４−７、画像データのサイズを補間処理により拡大／縮小するＲＥＳＩＺＥブロック１０４−８、画像データを液晶モニタやＴＶなどの外部表示機器に表示するためのビデオ信号に変換するＴＶ信号表示ブロック１０４−９及び撮影された画像データを記録するメモリカードの制御を行うメモリカードコントローラブロック１０４−１０を有する。
【００３２】
ＳＤＲＡＭ１０３は、デジタルスチルカメラプロセッサ１０４で画像データに各種処理を施す際に画像データを一時的に保存する。保存される画像データは、例えば、ＣＣＤ１０１から、Ｆ／Ｅ−ＩＣ１０２を経由して取りこんで、ＣＣＤ１信号処理ブロック１０４−１でホワイトバランス設定、ガンマ設定が行われた状態の「ＲＡＷ−ＲＧＢ画像データ」やＣＣＤ２信号処理ブロック１０４−２で輝度データ・色差データ変換が行われた状態の「ＹＵＶ画像データ」、ＪＰＥＧ ＣＯＤＥＣブロック１０４−７で、ＪＰＥＧ圧縮された「ＪＰＥＧ画像データ」などである。
【００３３】
メモリカードスロットル１２１は、着脱可能なメモリカードを装着するためのスロットルである。  内蔵メモリ１２０は、メモリカードスロットル１２１にメモリカードが装着されていない場合でも、撮影した画像データを記憶できるようにするためのメモリである。
【００３４】
ＬＣＤドライバ１１７は、ＬＣＤモニタ１０に駆動するドライブ回路であり、ＴＶ信号表示ブロック１０４−９から出力されたビデオ信号を、ＬＣＤモニタ１０に表示するための信号に変換する機能も有している。ＬＣＤモニタ１０は、撮影前に被写体の状態を監視したり、撮影した画像を確認したり、メモリカード１２１−１や内臓メモリ１２０に記録した画像データを表示したりするための表示部である。
【００３５】
ビデオＡＭＰ１１８は、ＴＶ信号表示ブロック１０４−９から出力されたビデオ信号を、７５Ωインピーダンス変換するためのアンプである。ビデオジャック１１９は、ＴＶなどの外部表示機器と接続するためのジャックである。ＵＳＢコネクタ１２２は、パソコンなどの外部機器とＵＳＢ接続を行う為のコネクタである。
【００３６】
シリアルドライバ回路１２３−１は、パソコンなどの外部機器とシリアル通信を行うために、シリアルブロック１０４−６の出力信号を電圧変換するための回路である。ＲＳ−２３２Ｃコネクタ１２３−２は、パソコンなどの外部機器とシリアル接続を行う為のコネクタである。
【００３７】
ＳＵＢ−ＣＰＵ１０９は、ＲＯＭ・ＲＡＭをワンチップに内蔵したＣＰＵであり、操作Ｋｅｙユニット（ＳＷ１〜ＳＷ１３）やリモコン受光部６の出力信号をユーザの操作情報として、ＣＰＵブロック１０４−３に出力したり、ＣＰＵブロック１０４−３より出力されるカメラの状態をサブＬＣＤ１、ＡＦ ＬＥＤ８、ストロボＬＥＤ９、ブザー１１３の制御信号に変換して出力する。
【００３８】
サブＬＣＤ１は、撮影可能枚数などを表示するための表示部であり、ＬＣＤドライバ１１１は、ＳＵＢ−ＣＰＵ１０９の出力信号より、サブＬＣＤ１を駆動するためのドライブ回路である。
【００３９】
ＡＦＬＥＤ８は、撮影時の合焦状態を表示するためのＬＥＤであり、ストロボＬＥＤ９は、ストロボ充電状態を表すためのＬＥＤである。尚、このＡＦ ＬＥＤ８とストロボＬＥＤ９を、メモリカードアクセス中などの別の表示用途に使用しても良い。操作Ｋｅｙユニット（ＳＷ１〜ＳＷ１３）は、ユーザが操作するＫｅｙ回路であり、リモコン受光部６は、ユーザが操作したリモコン送信機の信号の受信部である。
【００４０】
音声記録ユニット１１５は、ユーザが音声信号を入力するマイク（音声記録部）１１５−３、入力された音声信号を増幅するマイクＡＭＰ１１５−２、増幅された音声信号を記録する音声記録回路１１５−１からなる。音声再生ユニット１１６は、記録された音声信号をスピーカー１１６−３から出力できる信号に変換する音声再生回路１１６−１、変換された音声信号を増幅し、スピーカー１１６−３を駆動するためのオーディオＡＭＰ１１６−２、音声信号を出力するスピーカー１１６−３からなる。
【００４１】
イーサネット（登録商標）接続回路（または無線イーサネット接続回路）１３０およびＬＡＮコネクタ１３１は、通信プロトコルを使用し、ネットワークを介して、外部機器との間で通信処理を行う。イーサネット接続回路の場合は、有線ネットワークを介して、外部機器との間で通信処理を行い、無線イーサネット接続回路の場合は、無線ネットワークを介して、外部機器との間で通信処理を行う。
【００４２】
２．撮像装置の動作
先ず、本実施形態に係る撮像装置（デジタルカメラ）のモニタリング動作と静止画撮影動作について説明する。このデジタルカメラは、静止画撮影モード時には、以下に説明するようなモニタリング動作を実行しながら静止画撮影動作が行われる。
【００４３】
ユーザが電源スイッチ１３をＯＮし、モードダイアル４が撮影モードに設定されたことをＣＰＵ１０４が検知すると、ＣＰＵ１０４はモータードライバ７−５に制御信号を出力して、鏡胴ユニット７を撮影可能位置に移動させ、かつ、ＣＣＤ１０１、Ｆ／Ｅ−ＩＣ１０２、ＳＤＲＡＭ１０３、ＲＯＭ１０８、ＬＣＤモニタ１０等を起動させる。
【００４４】
そして、鏡胴ユニット７の撮影レンズ系を被写体に向けることにより、撮影レンズ系を通して入射される被写体画像がＣＣＤ１０１の各画素の受光面上に結像する。そして、ＣＣＤ１０１から出力される被写体画像に応じた電気信号（アナログＲＧＢ画像信号）は、Ｆ／Ｅ−ＩＣ１０２を介してＣＣＤ１信号処理ブロック１０４−１に入力され、ホワイトバランス設定、ガンマ設定が行われた状態の「ＲＡＷ−ＲＧＢ画像データ」に変換され、ＳＤＲＡＭ１０３に保存される。
【００４５】
この「ＲＡＷ−ＲＧＢ画像データ」は、ＣＣＤ２信号処理ブロック１０４−２で輝度データ・色差データ変換が行われた状態の「ＹＵＶ画像データ」に変換され、ＳＤＲＡＭ１０３に保存される。また、この「ＹＵＶ画像データ」は、ＴＶ信号表示ブロック１０４−９、ＬＣＤドライバ１１７を介してＬＣＤモニタ１０へ送られ、撮影画像が表示される。
【００４６】
ＬＣＤモニタ１０に撮影画像を表示しているモニタリング動作時においては、画素数の間引き処理により１／３０秒の時間で１フレームを読み出している。このモニタリング動作時は、電子ファインダとして機能するＬＣＤモニタ１０に撮影画像が表示されているだけで、まだレリーズボタン２が押圧（半押も含む）操作されていない状態である。ユーザは、ＬＣＤモニタ１０で撮影画像の確認をしながら、レリーズボタン２を押下することで静止画の撮影を行うことができる。
【００４７】
また、本実施形態に係る撮像装置は、モードダイアル４の切換えによる撮影モード切替操作により、静止画を撮影する静止画撮影機能の他にも複数の撮影機能を備えている。
【００４８】
文字撮影手段は、文字撮影機能を実現する。文字撮影機能は、文字を被写体とする場合に好適な撮影機能であり、撮影画像は白黒画像で２値化して保存される。２値化することにより被写体の文字を鮮明に判断できるものである。また、動画撮影手段は、動画像を撮影する動画像撮影機能を実現する。
【００４９】
連射撮影手段は、連写撮影機能を実現する。連射撮影機能は、レリーズボタン２が押下されている間、連続して静止画撮影を行う機能である。また、複数サイズ画像同時記録手段は、複数サイズ画像同時記録機能を実現する。複数サイズ画像同時記録機能は、例えば、オリジナルサイズ、サブファイルをそれぞれサイズ指定することにより１度のレリーズボタン２の押下により、サイズの異なる複数の撮影画像を同時生成することができる機能である。また、ブラケット手段は、ブラケット機能を実現する。ブラケット機能は、例えば、予め設定された露出を基準として露出の異なる複数の画像を、１度のレリーズボタン２の押下により連続して撮影する機能である。
【００５０】
また、音声記録手段は、音声記録機能を実現する。音声記録機能は、音声記録ユニット１１５によって、音声を記録し保存する機能であり、画像の生成はされない。尚、上記各撮影手段は、公知または新規の手法によればよく、その詳細は、特に限られるものではない。
【００５１】
３．撮影枚数のカウントに係る動作
本実施形態に係る撮像装置は、撮像装置に日時情報（即ち、現在の日時）を設定、保持する日時情報設定手段と、撮影が行われる際に、この日時情報設定手段から日時情報を取得する日時情報取得手段と、直近の撮影時の日時情報を記録する最終撮影時記録手段とを備えている。
【００５２】
また、以下に詳細に説明するように、撮影時に日時情報取得手段により取得された日時情報と最終撮影時記録手段により記録されている日時情報とを比較し、この比較結果に基づいて撮影枚数のカウントを行う撮影枚数カウント手段と、電源オフ時にＬＣＤパネル１０に表示させる終了画面にカウントした撮影枚数を所定の表示形式で表示させる表示手段とを備えている。尚、上記各手段は、ＣＰＵ１０４、ＲＡＭ１０７、ＲＯＭ１０８、内蔵メモリ１２０、ＬＣＤドライバ１１７、操作Ｋｅｙユニット（ＳＷ１〜ＳＷ１３）等の機能に基づいて実現される。
【００５３】
３−１．第1の実施形態
図４は、本実施形態に係る撮像装置が実行する電源オンから撮影毎にその累積枚数をカウントして、電源オフ後に一日の撮影枚数を表示するまでの処理の一例を示すフローチャートである。
【００５４】
電源スイッチ１３が入れられることにより撮像装置の電源がオンの状態では（Ｓ１）、日時情報設定手段による日時情報の再設定がされたか否かの判断を行われる（Ｓ２）。ここで、日時情報が再設定されている場合（Ｓ２：Ｙｅｓ）、即ち、撮像装置の日時情報が新たに設定された場合、または以前の設定を変更する操作が行われた場合は、それまでの撮影枚数のカウントをクリアする（Ｓ３）。電源オンからオフまでの間に日時情報が再設定された場合は、それまでの撮影枚数のカウントをクリアし、次回の撮影から新たな撮影枚数のカウントを開始するものである。
【００５５】
撮像装置の撮像動作がされると（Ｓ４）、日時情報設定手段により撮像装置に日時情報が設定されているか否かを判断する（Ｓ５）。日時情報が設定されていない場合（Ｓ５：Ｎｏ）は、日時情報取得手段は、日時情報を取得し、撮影画像に対して日時情報を関連付けて記録することができないので、現時点までの撮影枚数をカウントすることができない。したがって、本実施形態では、撮影枚数のカウント数をクリアし、撮影枚数のカウントは行わないこととしている（Ｓ６）。
【００５６】
撮像装置に日時情報が設定していると判断された場合は（Ｓ５：Ｙｅｓ）、撮影枚数カウント手段は、日時情報取得手段により取得された日時情報と、最終撮影時記録手段により記録された日時情報が同日であるかどうか、即ち、今回の撮影が直前の撮影（最終撮影時点）と同日であるかどうかを判断する（Ｓ７）。尚、最終撮影時記録手段は、最終撮影時点での日時情報（本実施形態では、少なくとも日付）を保持しており、撮影が行われる度にこれを更新する。
【００５７】
最終撮影日が今回の撮影日と異日、即ち、日付が変わってから最初の撮影であると判断された場合（Ｓ７：Ｎｏ）、保持していた撮影枚数情報をクリアし（Ｓ８）、今回の撮影を一枚目の撮影としてカウントする（Ｓ９）。
【００５８】
これに対し、最終撮影日が今回の撮影と同日であると判断された場合（Ｓ７：Ｙｅｓ）は、同日付中に少なくとも一回以上の撮影が行われているので撮影枚数をカウント（インクリメント）する（Ｓ９）。
【００５９】
電源を切る操作が行われると（Ｓ１０）、表示手段は、その時点で保持されたカウント数を撮影画像枚数情報として取得し、当該撮影画像枚数情報をＬＣＤモニタ（表示部）４に表示させる処理を行う（Ｓ１１）。尚、撮像装置に日時情報が設定されていない場合は、例えば、撮影枚数を０として表示するようにすれば良い。終了画面に撮影枚数の表示を所定時間（例えば、１〜２秒程度）継続した後、電源オフ動作が完了する。
【００６０】
ここで、カウントの対象とする撮影は、通常の静止画撮影だけでなく、上記文字撮影機能、動画撮影機能、連写撮影機能、複数サイズ画像同時記録機能、ブラケット機能、音声記録機能により撮影（または録音）が行われた場合も含めることも好ましい。また、ユーザがいずれの撮影機能による撮影をカウントの対象とするかを選択可能とすることも好ましい。
【００６１】
また、終了画面への表示形式は、特に限られるものではなく、後述するような様々な表示形式により表示することが可能である（図５,図６）。また、終了画面への撮影枚数の表示を行うか否かをユーザが選択可能とする選択手段を備えることも好ましい。
【００６２】
以上のように、本実施形態に係る撮像装置によれば、最終撮影時の日付情報を保持しておき、次回撮影時との日付が同じであるか比較することにより同日付内の撮影枚数をカウントし、電源を切る際にそれを表示することができる。したがって、ユーザは、撮像装置の電源を切る操作以外の他の操作を行うことなく、直感的かつ定量的に撮影枚数の評価をすることができる。
【００６３】
３−２．その他の実施形態
第1の実施形態では、撮影枚数カウント手段が日付毎の撮影枚数をカウントし、終了画面に一日の累積の撮影枚数を表示する例について述べたが、カウントする期間は、日付単位に限られるものではなく、一日の撮影枚数の表示に併せて、または、それに替えて、週単位、月単位、年単位、初回起動時から最終撮影時まで等の様々な期間の撮影枚数を表示することも好ましい。
【００６４】
週単位での撮影枚数の表示する場合（第２の実施形態）は、週の撮影枚数を累積して保持する記憶領域を設ける。尚、一週間は、例えば、日曜日に始まり、土曜日に終わるものとすれば良い。
【００６５】
週の撮影枚数のカウント動作は、基本的に第1の実施形態で説明した日付毎のカウント動作と同じである。しかしながら、日付毎のカウント数を表示する例では、日付が変わって初めての撮影であると判断された時にカウント数をクリアしていたが（図４のＳ７〜Ｓ９）、週毎のカウント数を表示する場合は、例えば、日付が変わって最初の撮影であると判断され、かつ、最終撮影日の曜日から経過した日時条件に基づき、今回撮影時に週が変わったと判断される場合に保持していた週の撮影枚数情報をクリアする。尚、最終撮影日の曜日から経過した日時条件とは、例えば、最終撮影日が日曜日であるならば７日以上、月曜日なら６日以上、火曜日なら５日以上、水曜日なら４日以上、木曜日なら３日以上、金曜日なら２日以上、土曜日なら１日以上経過している場合が、週が変わったと判断する条件とすることができる。このような処理を行うことで、同じ週の月曜日から土曜日の間は週の撮影枚数のクリアは行われない。
【００６６】
このようにすることで、ある週の初め（例えば、日曜日）からの初回撮影時からの累積の撮影枚数を表示することができ、電源を切る際に、週の初めからの累積の撮影枚数を表示することができる。
【００６７】
また、月単位の撮影枚数の表示する場合（第３の実施形態）は、月の撮影枚数を累積して保持する記憶領域を設ける。
【００６８】
月の撮影枚数のカウント動作は、基本的に第1の実施形態で説明した日付毎のカウント動作と同じである。しかしながら、日付毎のカウント数を表示する例では、日付が変わって初めての撮影であると判断された時にカウント数をクリアしていたが（図４のＳ７〜Ｓ９）、月毎のカウント数を表示する時は、月が変わって初めての撮影であると判断された場合、保持していた週の撮影枚数情報をクリアする。
【００６９】
このようにすることで、同じ月の撮影枚数のクリアは行われず、電源を切る際に、その月の累積の撮影枚数を表示することができる。また、同様に、年単位の撮影枚数を表示するようにしても良い。
【００７０】
さらに、撮像装置の初回起動時から最終撮影時までの撮影枚数の表示をする場合（第４の実施形態）は、撮影枚数情報のクリアを行わないようにすれば良い。初回起動時から最終撮影時までの撮影枚数を累積して保持する記憶領域を設け、撮影が行われるたびにカウントを行い、累積枚数を更新する。このような処理を行うことで、電源を切る際に、初回起動時から最終撮影時までの累積の撮影枚数を表示することが可能となる。
【００７１】
上記の例では、週単位、月単位、年単位、初回起動時から最終撮影時まで等の撮影枚数のカウントは、それぞれカウントする場合について述べたが、例えば、日付毎の撮影枚数を保持する記憶領域（記憶手段）を別途設けておき、電源オフ時に、日付毎の撮影枚数を読みだして、週単位、月単位、初回起動時から最終撮影時までの撮影枚数を演算し（演算手段）、これを表示することとしても良い。
【００７２】
次に、終了画面への撮影枚数の表示形式について説明する。撮影枚数の表示形式の切り換えは、例えば、デジタルカメラのセットアップの項目の一つに撮影枚数表示形式という機能を設け、その機能選択肢に、日付単位、週単位、月単位、年単位、トータル等の設定項目を選択可能に表示させ、ユーザの選択に応じて、デジタルカメラの電源を切るときに撮影枚数の表示形式に反映されるようにすれば良い。
【００７３】
例えば、撮影枚数表示形式で日付単位を選択すると、終了画面に日付毎の撮影枚数を表示し（図５（ａ））、週単位を選択すると、終了画面に週毎の撮影枚数を表示し（図５（ｂ））、月単位を選択すると、終了画面に月毎の撮影枚数を表示し（図５（ｃ））、トータルを選択すると、終了画面に初回起動時から最終撮影時までの累積の撮影枚数を表示する（図５（ｄ））ものである。尚、図５（ｂ）〜（ｄ）の例では、併せて日単位の撮影枚数の表示をしているが、日単位の撮影枚数の表示を行わないようにしてもよい。
【００７４】
また、終了画面への撮影枚数の表示形式は、単に撮影枚数を表示することに限らず、様々な表示形式での表示が可能である。例えば、上述のように、日付毎の撮影枚数を記憶する記憶領域（３１領域）を設けることで、日によって定められた記憶領域にその日の撮影枚数情報を保持することができるので、例えば、図６（ａ）に示すようなカレンダー表示により１ヶ月間の日毎の撮影枚数を表示するようにすることも好ましい。
【００７５】
さらに、月単位の撮影枚数を保持する記憶領域（１２領域）を設けることで、月によって定められた記憶領域にその月の撮影枚数情報を保持することができるので、図６（ｂ）に示すようなグラフ表示により所定の期間（図６（ｂ）の例では６カ月）に渡る、それぞれの月での撮影枚数をグラフで表示するようにすることも好ましい。
【００７６】
尚、上述の実施形態は本発明の好適な実施の例ではあるがこれに限定されるものではなく、本発明の要旨を逸脱しない範囲において種々変形実施可能である。
【符号の説明】
【００７７】
１  サブＬＣＤ
２  レリーズボタン
３  ストロボ発光部
４  モードダイヤル
５  測距ユニット
６  リモコン受光部
７  鏡胴ユニット
７−５  モータードライバ
８  ＡＦＬＥＤ
９  ストロボＬＥＤ
１０  ＬＣＤモニタ
１１  光学ファインダ
１２  ズームボタンＴＥＬＥ
１３  電源スイッチ
１４  ズームボタンＷＩＤＥ
１５  再生スイッチ
１６  セルフタイマ／削除スイッチ
１７  ＭＥＮＵ／ＯＫスイッチ
１８  左／画像確認スイッチ
１９  下／マクロスイッチ
２０  上／ストロボスイッチ
２１  右スイッチ
２２  ディスプレイスイッチ
１０１  ＣＣＤ
１０２  Ｆ／Ｅ−ＩＣ
１０３  ＳＤＲＡＭ
１０４  デジタルスチルカメラプロセッサ（ＣＰＵ）
１０７  ＲＡＭ
１０８  ＲＯＭ
１１５  音声記録ユニット
１１７  ＬＣＤドライバ
１２０  内蔵メモリ
【先行技術文献】
【特許文献】
【００７８】
【特許文献１】特開２００６−２６２１２８号公報
【特許文献２】特開２００７−２９３３８５号公報
【図１】
2010185902.tif 000003
【図２】
2010185902.tif 000004
【図３】
2010185902.tif 000005
【図４】
2010185902.tif 000006
【図５】
2010185902.tif 000007
【図６】
2010185902.tif 000008